(57)【要約】【課題】  本考案は柄付金属線たわしに関して、柄を把握してなべ・フライパン等を洗浄する際、力点となる柄を把握している手と直接なべ・フライパン等に押圧する金属線たわし本体の押圧点との不一致によるずれのため、金属線たわし本体の中心に押圧を常にかけることがでず、そのため効率の良い洗浄作業を実施しにくく、かつ一定の固まりを保持する金属線がほどけやすくなり、耐久性を確保しにくくなる課題が生じている。【解決手段】  本考案は金属線たわし本体（１）と、金属線たわし本体（１）の中央に装着している柄部（２）から形成されており、柄装着部（３）には指１本挿入可能な中空部（４）を形成し、柄部（２）の後部は矩状に折り曲げ可能な柄把手部（５）を有する柄付金属線たわしを提供する。【選択図】図２
0003137128.tif 000002
【実用新案登録請求の範囲】
【請求項１】
螺旋状にカール巻きされた金属線たわしにおいて、金属線たわし本体（１）の中央には柄部（２）の前部に該当する柄装着部（３）が装着し、柄装着部（３）内には一定の空間部を有する中空部（４）を形成し、後部に該当する柄把手部（５）は金属線たわし本体（１）外に位置する柄付金属線たわし
【請求項２】
螺旋状にカール巻きされた金属線たわしにおいて、金属線たわし本体（１）の中央には柄部（２）の前部に該当する柄装着部（３）が装着し、柄装着部（３）内には一定の空間部を有する中空部（４）を形成し、後部に該当する柄把手部（５）は金属線たわし本体（１）外に位置し、柄把手部（５）は自在に矩状に折り曲げ可能な柄付金属線たわし
【考案の詳細な説明】
【技術分野】
【０００１】  本考案は、金属製たわしを使用してなべ・フライパン等をきれいに洗い流す際、効率的に金属製たわしをなべ等接触面全方向に力をかけ、かつなるべく作業者の手を油等で汚さないための柄付金属線たわしに関するものである。
【背景技術】
【０００２】  なべ・フライパン等使用後、焦げ付いた残物や油をきれいに除去して洗浄する必要が生じるが、スポンジたわしでは、焦げ付いた残物をなかなか取り除くことができにくく、螺旋状にカール巻きにされた金属線たわしを使用する場合の頻度が高くなるのは必然である。【０００３】  但し、金属線たわしといえども、直接手で持ちなべ・フライパン等を押圧して焦げ付いた残物等を取り除こうとすると、手に油が付着したり、何度も使用していると、金属線たわしの形態が変化し、金属線の固まりが分裂気味になり、効率のよいその後の使用が出来ない状態に陥ってしまう。つまり、金属線の固まりが変形してしまうことで、なべ・フライパン等に付着している残物を除去しようとしても効率よく押圧して磨くことができにくいため、すばやく残物等を除去することは出来なくなり、かつ持ち手が油に見えることで滑りやすく、その結果使用頻度が少ない割には耐久性がなく油まみれの洗浄用具に陥ってしまうことになる。【０００４】  そこで、先ずなるべく手に油が付着しにくくするため、金属線たわしに柄部を取り付け、柄部を握って洗浄作業をする特開平１１−１９０１４、特開２００１−１７３７０が考案されている。または、金属線たわし内に中空部を設け、その中空部内に金属線たわしの厚みとほぼ同じ高さを有する柄部を有する特開２００４−１３６０５９も考案されている。
【考案の開示】
【考案が解決しようとする課題】
【０００５】  なべ・フライパン等に焦げ付いて付着したりする食材の残物を除去する際、なべ・フライパン等をなるべく傷つけずに、すばやく除去することが必要であり、その用具としてスポンジたわしより金属線たわしのほうが有効であることは現段階での技術では周知であるといえよう。【０００６】  金属線たわしと特徴としては、多数の金属線を螺旋状のカール巻きとされている点であり、なべ・フライパン等に押圧をかけた段階で多数の金属線はなべ・フライパン等の内面に全方向にやや広がったり、上下には押しつぶされる形態となることで極端に押圧されないよう、圧力が緩和される構造となっており、かつ多数の金属線の摩擦力により残物は除去されやすい構造となっている。【０００７】  然しながら、なべ・フライパン等の付着した残物を除去するには優れた構造を有する金属線たわしだが、なべ・フライパン等の内面を傷つけずかつすばやく焦げ付いた残物を取り除くための弾力的な構造は、使用頻度が多くなると逆に多数の金属線の固まりを散乱させてしまう。即ち、一定の固まりが不定形にほどけてしまい、たわしとしての機能を著しく損なうことになる。この状態で洗浄行為を実施しても、押圧を目標残物に効率よくかけにくくなってしまい、耐久性の無さが大きな課題として残るのである。【０００８】  また金属線たわしの外表面を直接握って洗浄行為を行うと、使用した油が金属線たわしに吸収されているので、すぐに握っている手に油が伝わってしまうことで金属線たわしを把握する手は滑りやすくなり、しっかり把握して作業を続けることは困難となる。【０００９】  そこで、特開平１１−１９０１４、特開２００１−１７３７０のように棒状の柄部を金属線たわしに取り付けた考案がなされており、持ち手自体は直接汚れたなべ・フライパン等の内面にほとんど触れることなく洗浄行為は実行でき、手に油は確かに付着しにくい効果が生じる。【００１０】  ところがここで別の課題が発生する。棒状の柄部のみを把握し、手元から離れている金属線たわし本体をなべ・フライパン等の内面に押圧し、全方向へ移動させようとする場合、手で把握している柄部にかかる力点と、金属線たわし本体がなべ・フライパン等と直接押圧する点とが一致せずずれるため、効率的な押圧力による洗浄、また他の場所に付着している残物を除去すべく自在に移動させる方向性を確保することは困難である。【００１１】  力点をかける柄部と押圧する金属線たわしのなべ・フライパン等への接触がずれることで洗浄行為の際、金属線たわし本体にかかる押圧点はなべ・フライパン等の内面に接触する金属線たわし本体接触面の中心付近ではなく、金属たわし本体の周辺部へと移動する可能性が大きく、その結果使用頻度が増加すると、柄部を有しない金属たわしの使用頻度より早めに一定の固まりを保持していた金属線が不定形に解かれてしまい、たわしとしての機能が損なわれてしまうことは避けられない。即ち柄部を有しない金属たわしより柄付金属線たわしの方が耐久性のない用具としての欠陥が露出することになる。【００１２】  また特開２００４−１３６０５９では、金属線たわし内に中空部を設け、その中空部内に金属線たわしの厚み以下の高さとなる中空部把手を有する考案だが、中空��把手を作業者が把握しようとすると、ボールを把握するよう手のひら全体を使って把握しなければならず、握りこぶし大のスペースが金属線たわし内の中空部として必須であり、その周りに金属線たわし本体を配置しなければならず、洗浄機能を有すべく一定の金属線の量を確保しようとすれば、全体としてかなりの容積となり、現実になべ・フライパン等の内面等を隅々まで洗浄するには、明らかに大きすぎて使用しにくいことになり、洗浄用具としては不適あるといえよう。【００１３】  以上の如く、公知である棒状の柄付金属線たわしを用いてなべ・フライパン等を洗浄する際、次の２点が重要課題として存在することになる。【００１４】  第１に、棒状の柄部を把握し洗浄作業を実施しようとすると、確かに残物としての油は手に付着しにくいが、除去すべく残物に直接押圧し磨こうとする段階では、金属線たわし本体の残物に対する接触押圧点と棒状の柄部を把握して圧力を加える力点とが明らかにずれているため、効率的な洗浄作業を実施することは困難となる。【００１５】  次に、洗浄作業の頻度が多くなると、やはり金属線たわし本体の残物に対する接触押圧点と棒状の柄部を把握して圧力を加える力点とが明らかにずれているため、柄部を把握して作業しようとすると、確実に金属線たわしの中央に押圧点が集中することが出来ず、押圧点は金属線たわしの他の周辺部に移り、その結果一定の固まりを保持していた金属線が散乱し不定形に解かれてしまうことになる。即ち、たわしとしての機能が損なわれてしまい、洗浄用具としての耐久性がないことになってしまう。
【課題を解決するための手段】
【００１６】  上記の課題を解決するため、本考案は、作業者の力点と、なべ・フライパン等の内面に付着している残物を除去すべく直接接触する金属たわしの押圧点を一致させることを目的とし、かつ柄部を設けることで効率的に押圧することと、なるべく作業者の手に油が付着させず、またなべ・フライパン等の隅々まで押圧しやすくするため、柄部の後方部を自在に矩状に折り曲げることを可能とする柄付金属線たわしを提供するものである。
【考案の効果】
【００１７】  本考案の従来の公知技術との差異は、特開平１１−１９０１４、特開２００１−１７３７０の如く金属線たわし本体に柄部を設けることは同じとなるが、柄部の前部に該当すべく柄装着部を金属線たわし本体中心部に装着させ、装着部に指１本挿入可能な中空部を設けていることである。【００１８】  実際の作業としてその中空部に例えば人指し指１本を挿入させた段階で他の指及び手のひらは金属線たわし本体外に位置する柄把手部を把握することが可能であり、片手全体でたやすく金属線たわしに力を伝えることが可能であり、金属線たわしの中心部に位置する柄装着部の中空部内に挿入させた人差し指等１本に力点を集中させることが可能となる。【００１９】  この作業者の力点と金属線たわしがなべ・フライパン等に押圧する点が一致する効率の良い構造は、特開２００４−１３６０５９の如く金属線たわし本体中心内部のみに柄部が形成されている考案では手のひら全体で短い柄部を把握するしかなく自在かつスムースに洗浄作業を実施するには不都合が生じてしまう考案よりはるかに優れている。【００２０】  本考案では、金属線たわし本体内に位置する柄装着部内に形成された中空部に人指し指等本挿入するため、挿入した人指し指等１本に力点を集中させ、金属線たわし本体外に位置する柄把手部を他の指及び手のひらで把握することが出来るので、金属線たわし本体をより安定してスムースに洗浄作業、つまりなべ・フライパン等内面に付着した残物に対しての直接押圧を効率的にかけることが出来る。【００２１】  また、柄把手部を矩状に折り曲げることで手首を洗浄対象面に合わせて曲げたりすることが可能となるため、なべ・フライパン等内面の隅々まで金属線たわし本体を自在に動かし中空部に挿入した人指し指等１本より力点を集中して押圧をかけることができる。【００２２】  更に、中空部に挿入した人指し指等１本より力点を集中して押圧をかけることで、金属線たわし本体の中心部に押圧点も集中しやすく、金属線たわし本体の周辺部へは押圧点が移動しにくいため、その結果一定の金属線の固まりは散乱しにくくなり、一定の固まりである原型を保持することが出来、かなりの耐久性を保持する金属線たわしを提供することが出来るのである。【００２３】  しかも作業者の力点となる人差し指等１本の押圧点と、本考案の金属線たわし本体となべ・フライパン等内面の接触点が一致するため従来のあらゆる金属線たわしよりも最小の力で最大限の押圧をかけることが出来、非常に効率よく洗浄作業を終了させることが可能となる。
【考案を実施するための最良の形態】
【００２４】  部材としては、公知である従来の一定の固まりを有する形態を確保する金属線たわしと、人指し指等１本が挿入可能な中空部を有する柄部から形成されている。【００２５】  金属線たわし中央に中空部を有する柄部の前部に該当する柄装着部を装着させ、柄部の後部に該当する柄把手部は金属線たわし外に位置している。柄装着部には人指し指等１本挿入可能な中空部が形成され、柄装着部が金属線たわしの中央に装着する断面積は人指し指等１本分よりやや大きいものとする。更に柄把手部は把手前部内の中空部に挿入する人指し指等１本以外の残りの指及び手の平で把握可能な長さを有している。【００２６】  また、請求項２の如くなべ・フライパン等内面の隅々まで金属線たわし本体を自在に動かし自在の押圧をかけるために把手後部をより把握しやすくするべく柄把手部の一部を折り曲げ可能な形態とする。
【実施例】
【００２７】  形態としては、連続螺旋状にカール巻きされた金属線たわしにおいて、金属線たわし本体（１）の中央に柄部（２）が装着しており、金属線たわし本体（１）内中央に装着する柄装着部（３）内は人指し指等１本挿入可能な中空部（４）が形成されている。金属線たわし本体（１）外に位置する柄把手部（５）は柄装着部（３）内に形成されている中空部（４）に挿入した人指し指等１本以外の指と手のひらで把握可能な長さを有している。【００２８】  更に、請求項２の如く柄把手部（５）自体を矩形状に折り曲げ可能な形態としている。【００２９】  焦げ等による残物が付着しているなべ・フライパン等内面を押圧による磨きを書ける場合、柄装着部（３）内に形成されている中空部（４）に例えば人指し指等１本を挿入し、金属線たわし本体（１）外に位置する柄把手部（５）を残りの指と手のひらで把握した後、金属線たわし本体（１）をなべ・フライパン等内面に押圧して磨く作業を実施する。【００３０】  金属線たわし本体（１）をなべ・フライパン等内面に押圧する中心の力点は柄装着部（３）内に形成されている中空部（４）に挿入した人指し指等１本の押圧と一致し、効率よく洗浄すべく残物に効率よく押圧することが出来る。【００３１】  更になべ・フライパン等内面の隅々まで残物を洗浄すべく金属線たわし本体（１）を効率よく移動押圧させるためには、柄を持つ手首を曲げて作業可能とする。【００３２】  即ち、請求項２の如く柄把手部（５）自体を矩形状に折り曲げ可能とすることで、手首を折り曲げた状態で柄把手部（５）を把握可能としている。
【図面の簡単な説明】
【００３３】
【図１】  本考案の請求項２が示す柄付金属線たわしの斜面図
【図２】  本考案の使用の際の把握方法を示す実施例斜面図
【符号の説明】
【００３４】  １  金属線たわし本体
２  柄部
３  柄装着部
４  中空部
５  柄把手部
【図１】
0003137128.tif 000003
【図２】
0003137128.tif 000004